(57)【要約】      （修正有）【課題】撮影後に、表示器上に撮影画像を拡大表示し主被写体にピントが合っているか否かを確認する電子カメラにおいて、撮影された画像の中からピントを合わせた主被写体を正確に選択し、その拡大像をカメラの表示部に表示することで、撮影された画像のピント確認が迅速かつ、正確に行うことが可能となる電子カメラの表示装置を提供する。【解決手段】撮影された画像情報を記憶する記憶手段、前記記憶手段に記憶された画像情報の一部の情報を上記表示手段に画像として拡大して表示する拡大表示手段、被写界の特定領域の焦点検出検出を行う焦点検出手段、カメラの前記焦点検出時と、カメラ撮影時の主被写体位置の変化量を算出する被写体位置変化算出手段、該被写体位置変化算出手段の信号に基づいて、前記焦点検出時の主被写体位置を補正し、該補正された主被写体位置近傍の撮影画像の拡大領域を決定し、上記表示手段に拡大表示する。【選択図】図４
2007028163.tif 000002
【特許請求の範囲】
【請求項１】
撮影された画像情報を記憶する記憶手段と、該記憶手段に記憶された画像情報を画像として表示する表示手段と、前記記憶手段に記憶された画像情報の一部の情報を前記表示手段に画像として拡大して表示する拡大表示手段と、被写界の特定領域中の被写体の焦点検出検出を行う焦点検出手段と、カメラの前記焦点検出時と、カメラ撮影時の被写体位置の変化量を算出する被写体位置変化算出手段とを有し、該被写体位置変化算出手段の信号に基づいて、前記焦点検出時に得られた被写体位置を補正し、該補正された被写体位置近傍の撮影画像の拡大領域を決定し、前記表示手段に拡大表示することを特徴とする電子カメラの表示装置。
【請求項２】
前記被写体位置変化算出手段は、前記焦点検出時の被写体位置情報と撮影時の被写体位置情報の差から被写体位置移動量を算出することを特徴とする請求項１記載の電子カメラの表示装置。
【請求項３】
前記被写体位置変化算出手段は、前記焦点検出時と撮影時の撮影被写界を複数の領域に分割して輝度検出を行う測光手段の焦点検出時と撮影時の測光出力の変化から被写体位置変化を算出することを特徴とする請求項１記載の電子カメラの表示装置。
【請求項４】
前記被写体位置変化算出手段は、前記焦点検出時の焦点検出領域に対応した電子ビューファンダー表示用画像信号と撮影時の電子ビューファンダー画像信号、または撮影された本画像信号と比較を行うことによって被写体位置変化を算出することを特徴とする請求項１記載の電子カメラの表示装置。
【請求項５】
前記被写体位置変化算出手段は、カメラ本体に備えられた加速度センサの信号から、焦点検出時と撮影時の被写体位置変化を算出することを特徴とする請求項１記載の電子カメラの表示装置。
【発明の詳細な説明】
【技術分野】
【０００１】
本発明は電子スチルカメラ等の撮像装置に係る電子カメラの表示装置に関し、特に電子スチルカメラ本体の小型モニタにおいて撮影画像のピントを確認するようにした装置および方法に関するものである。
【背景技術】
【０００２】
従来より撮像素子を用いて光学系から入射する被写体像を撮影し、その結果得られた画像信号を信号処理して画像情報に変換し、その画像情報をフラッシュメモリを内蔵したメモリカードやフロッピー（登録商標）ディスクあるいはハードディスクからなる記録手段に記録するようにした電子スチルカメラが種々提案されている。このようなカメラの中には撮影した画像をその場で再生できるようにカメラ本体にモニタを内蔵しているものがあり、撮影画像を表示したり、１画面に複数の撮影画像を表示したりすることができる。
【０００３】
ところが、カメラ本体に内蔵されるモニタはほとんどの場合小型であり、カメラ本体に内蔵されるモニタでは撮影画像のピント確認を行うことができないという問題があった。そこで、特許文献１で開示の「電子スチルカメラ装置」では、少ない画素数のモニタを用いてもピント調整を容易に行うために撮影後、撮影画像を小型モニタに表示し、表示された画像の一部分を撮影者が指定することで、その指定部分を小型モニタに拡大表示するものが提案されている。
【０００４】
また上記公報の装置では、モニタにてピント調整を行う場合、撮影者がいちいち撮影画像を表示させ、さらに拡大したい場所を指定しなければならないという問題がある。
【０００５】
この問題に対して、特許文献２では、撮影後に再生装置（カメラでも可）の移動量に応じて、拡大表示する領域を移動させる提案がなされている。
【０００６】
また特許文献３で開示の「撮像装置」では、カメラでの撮影後すぐに撮影画像のピント確認を行うことができるように、撮影後に合焦した測距点付近の画像を表示手段であるモニタ画面全体に表示する装置を開示している。
【特許文献１】特開平５−２４４４７１号公報
【特許文献２】特開２００２−２０９１８９号公報
【特許文献３】特開２０００−１２５１７８号公報
【発明の開示】
【発明が解決しようとする課題】
【０００７】
しかしながら、上記特許文献３の発明のように、カメラでの撮影後に合焦した焦点検出領域付近の画像を拡大表示すると、ピント確認をしたい主被写体が表示されないことが少なからず発生していた。
【０００８】
それは、撮影したい主被写体が合焦後に移動してしまい、撮影時に合焦した焦点検出領域近傍に存在しなくなってしまった場合、または撮影者が合焦後に（ＡＦロックしたまま）撮影構図を変更してしまった場合が考えられ、この状況では単に表示された画像を見ただけでは主被写体のピント確認はできないことになる。
【０００９】
本発明は、以上の点に着目して成されたもので、撮影された画像の中からピントを合わせた主被写体を正確に選択し、その拡大像をカメラの表示部に表示することで、撮影された画像のピント確認が迅速かつ、正確に行うことが可能となる電子カメラの表示装置を提供することを目的とする。
【課題を解決するための手段】
【００１０】
撮影された画像情報を記憶する記憶手段と、該記憶手段に記憶された画像情報を画像として表示する表示手段と、前記記憶手段に記憶された画像情報の一部の情報を上記表示手段に画像として拡大して表示する拡大表示手段と、被写界の特定領域の焦点検出検出を行う焦点検出手段と、カメラの前記焦点検出時と、カメラ撮影時の主被写体位置の変化量を算出する被写体位置変化算出手段と、該被写体位置変化算出手段の信号に基づいて、前記焦点検出手段の焦点検出位置を補正し、該補正された焦点検出領域近傍の撮影画像の拡大領域を決定し、前記表示手段に拡大表示することを特徴とする電子カメラの表示装置を提供することにより、上記問題の解決を図るものである。
【発明の効果】
【００１１】
本発明は、請求項１に係るところの撮影された画像情報を記憶する記憶手段、該記憶手段に記憶された画像情報を画像として表示する表示手段、前記記憶手段に記憶された画像情報の一部の情報を上記表示手段に画像として拡大して表示する拡大表示手段、被写界の特定領域の焦点検出検出を行う焦点検出手段、カメラの前記焦点検出時と、カメラ撮影時の主被写体位置の変化量を算出する被写体位置変化算出手段、該被写体位置変化算出手段の信号に基づいて、前記焦点検出手段の焦点検出位置を補正し、該補正された焦点検出領域近傍の撮影画像の拡大領域を決定し、上記表示手段に拡大表示することを特徴とする電子カメラの表示装置を提供することにより、撮影された画像の中からピントを合わせた主被写体を正確に選択し、その拡大像をカメラの表示部に表示することで、撮影された画像のピント確認が迅速かつ、正確に行うことが可能となる。
【発明を実施するための最良の形態】
【００１２】
以下本発明を実施するための最良の形態を、実施例により詳しく説明する。
【実施例１】
【００１３】
以下、本発明実施の形態を図１から図１０に基づいて詳細に説明する。
【００１４】
なお、図１から図１０において同一の要素部品には同じ番号が記載してある。
【００１５】
図１は、本発明の第１の実施例によるデジタルカメラの概略構成を示す図である。
【００１６】
同図において、１０１はＣＰＵ（中央演算処理装置）であり、本デジタルカメラの動作はこのＣＰＵ１０１により制御される。
【００１７】
１０５は撮影レンズであり、撮影被写界光を撮像素子であるＣＣＤ１０６上に結像させている。また、撮影被写界光はその一部が半透過主ミラー１２６、サブミラー１２２によって、１２３、１２４、１１９からなる公知の位相差方式焦点検出ユニットに導かれ、撮影レンズ１０５で結像された被写界光のピントがＣＣＤ１０６の受光面に対してどの方向に、どれ位ずれているか、いわゆるデフォーカス量として検出することができる。
【００１８】
ここで１２３はフィールドレンズ、１２４は２次結像レンズ、１１９は焦点検出用のＣＣＤラインセンサであり、実際には図３に示すようにファインダ画面上中央の領域１３０の焦点検出が可能となっている。上記算出されたデフォーカス量に対して、撮影レンズ本体のレンズ駆動敏感度（レンズ固有の制御の細かさ）を考慮し、ＣＰＵ１０１は図１の撮影レンズ駆動制御部１２５に撮影レンズの駆動させるための駆動量パルスを送り、撮影レンズ駆動制御部１２５は送られてきたパルスに応じてパルスモータを駆動させ、撮影レンズ１０５を合焦位置に駆動させることで自動焦点調節を行う（焦点検出手段）。
【００１９】
１２８は撮影レンズ１０５のＣＣＤ１０６結像面と等価の結像面に置かれたピント板であり、ピント板１２８に結像した被写界像をペンタプリズム１２７、接眼レンズ１２１を通じて見ることのできるＴＴＬ方式の光学ファインダ構成となっている。
【００２０】
また、１１０は撮影被写界の輝度を測定する測光センサであり、結像レンズ１１２にてピント板１２８の被写界像を測光センサ１１０上に結像している。
【００２１】
測光センサ１１０は縦×横、各々２０×３０に分割された受光領域を有しており、図３に示すようにカメラのファインダ視野１３１（被写界領域）の主要領域を２０×３０の領域に分割して測光することができる（測光手段）。
【００２２】
また図３の２０×３０の分割線は模式的なものであり、実際に撮影者は見ることはできない。
【００２３】
さらに図３の中央部の指標１３０は、上記焦点検出が可能な領域（焦点検出領域）を示している。
【００２４】
図１に戻って、撮影者がレリーズボタン１１４（不図示）を押すと、主ミラー１２６は撮影レンズ１０５の光路外に退避し、撮影レンズ１０５によって集光された被写界光はフォーカルプレーンシャッタ１３３で光量制御がなされ、ＣＣＤ１０６によって被写界像として光電変換処理表示された後、撮影済み画像として表示部１１３に表示される。ここで１１３はＴＦＴカラー液晶からなる外部表示部である。
【００２５】
図２は、本発明の第１の実施例によるデジタルカメラの概略構成を示す電気ブロック図である。
【００２６】
同図において、１０１は前述のＣＰＵ（中央演算処理装置）であり、ＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、ＬＣＤ制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は有効画素数約５００万画素（２５６０×１９２０）を有している。
【００２７】
そしてＬＣＤ制御部１１１には表示駆動部１１２、さらに表示部１１３が接続されており、表示部１１３はＣＣＤ１０６で撮像された画像を縦横各々１／８に間引き処理された３２０×２４０の画像を表示することのできるＴＦＴカラー液晶である（表示手段）。また、ＤＣ／ＤＣコンバータ１１７には電池１１６から電源が供給されている。
【００２８】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へＤＭＡ転送を行う処理、同様にＲＡＭ１０３よりＬＣＤ制御部１１１へデータをＤＭＡ転送する処理、また、画像データをＪＰＥＧ圧縮しファイル形式でデータ格納手段１０４へ格納する処理を行う（記憶手段）。
【００２９】
さらにＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。
【００３０】
１１９は前述の焦点検出用の一対のラインＣＣＤセンサであり、焦点検出制御部１２０はこれらラインセンサ１１９から得た電圧をＡ／Ｄ変換し、ＣＰＵに送る。またＣＰＵ１０１の指示のもとに、焦点検出制御部１２０はラインセンサ１１９の蓄積時間とＡＧＣ（オートゲインコントロール）の制御も行う。
【００３１】
また、レリーズＳＷ１１４の操作に伴う撮影動作の指示、さらに、各素子への電源の供給をコントロールするための制御信号を、ＤＣ／ＤＣコンバータ１１７に対して出力する処理等も、ＣＰＵ１０１の制御の基に行われている。
【００３２】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。
【００３３】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００３４】
データ格納手段１０４は、ＣＰＵ１０１によりＪＰＥＧ圧縮された撮影画像データ、あるいはアプリケーションより参照される各種付属データ等をファイル形式で格納しておくためのフラッシュメモリである。
【００３５】
レンズ群１０５は被写界像を光学的にＣＣＤ１０５へ投影するために複数枚のレンズで構成されており、ＣＣＤ（光電変換素子）１０６はレンズ群１０５によって投影された撮影画像をアナログ電気信号に変換するための素子である。
【００３６】
このＣＣＤ１０６は、ＣＰＵ１０１よりの解像度変換指示に従って、水平方向および垂直方向の間引き画素データの出力が可能である。ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路、また同様に、ＣＰＵ１０１よりの解像度変換指示に従って、画素間引き処理を行うための回路等を含んでいる。
【００３７】
また、画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら、レンズ群１０５、ＣＣＤ１０６、ＣＣＤ制御部１０７、画像処理部１０８から撮像手段が構成されている。
【００３８】
ＬＣＤ制御部１１１は、画像処理部１０８から転送されたＹＵＶデジタル画像データ、あるいはデータ格納手段１０４のなかの画像ファイルに対してＪＰＥＧの解凍を行ったＹＵＶデジタル画像データを受け取り、ＲＧＢデジタル信号へ変換したあと表示駆動部１１２へ出力する処理を行う。表示駆動部１１２は表示部１１３を駆動するための制御を行う。これらＬＣＤコントロール部１１１、表示駆動部１１２、表示部１１３から表示手段が構成されている。
【００３９】
レリーズＳＷ１１４は、撮影動作の開始を指示するためのシャッタである。このレリーズＳＷ１１４は不図示のレリーズボタンの押下圧によって２段階のスイッチポジションが有り、１段目のポジション（ＳＷ１ＯＮ）の検出で、ホワイトバランス、ＡＥ等のカメラ設定のロック動作が行われ、２段目のポジション（ＳＷ２ＯＮ）の検出で、被写界画像信号の取り込み動作が行われる。
【００４０】
電池１１６はリチャーチャブルの２次電池あるいは乾電池である。また、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７はＣＰＵ１０１からの制御信号１１８により、各々の電圧の供給の開始、停止を制御できるようになっている。
【００４１】
次に図４から図１０を用いて本発明であるところの電子カメラの撮影画像の再生表示について説明を行う。
【００４２】
図４は電子カメラの撮影動作および撮影済み画像を外部表示部１１３に表示するためのフローチャートである。
【００４３】
まずカメラを不作動状態から不図示の電源スイッチをＯＮにすると、カメラの電源がＯＮされ（ステップ＃２００）、カメラはレリーズボタンが押し込まれてスイッチＳＷ１がＯＮされるまで待機する（ステップ＃２０１）。
【００４４】
次にレリーズボタンが押し込まれてスイッチＳＷ１がＯＮされたことをＣＰＵ１０１が検出すると、撮影レンズの焦点調節手法が、自動か手動かの判定を行う（ステップ＃２０２）。
【００４５】
カメラが手動焦点調節に設定されているならば、カメラ自身は焦点調節動作を実行しないので、次のステップ＃２０４に進む。一方がレリーズボタンが押し込まれてスイッチＳＷ１がＯＮされたことをＣＰＵ１０１が検出すると、前述の画面中央の焦点検出領域に対して自動焦点調節動作を行うことで撮影レンズのピントを主被写体に合わせることが可能となる（ステップ＃２０３）。
【００４６】
次にカメラは前述の測光センサ１１０より撮影被写界を２０×３０に分割された輝度情報を得て、それに基づいて所定のアルゴリズム測光演算に従って、カメラの露出値を決定する（測光動作１、ステップ＃２０４）。またここでの測光動作は後述のレリーズ動作（実際には主ミラーアップ動作）が行われるまで連続的に行われている。
【００４７】
一方、撮影者が合焦表示された状態のファインダ視野を見て、引き続きスイッチＳＷ１をＯＮし続けられ（ステップ＃２０５）、さらにレリーズボタンを押し込んでスイッチＳＷ２がＯＮされたならば（ステップ＃２０６）、ＣＰＵ１００は前記連続的に行われている測光動作の中の２０×３０に分割された輝度情報を取り込み（ステップ＃２０７）、さらに不図示のシャッタ制御部、絞り駆動部、ＣＣＤ制御部１０７にそれぞれ信号を送信して、公知のシャッタレリーズ動作を行う（ステップ＃２０８）。
【００４８】
具体的には、まず不図示のモータ制御部を介してモータに通電して主ミラー１２６をアップさせ、撮影レンズの絞りを絞り込んだ後、シャッタ１３３のマグネットＭＧ−１に通電し、シャッタ１３３の先幕を開放することでＣＣＤ１０６への被写界光の蓄積が開始される。所定のシャッタ秒時経過後、マグネットＭＧ−２に通電がなされ、シャッタ１３３の後幕が閉じることでＣＣＤ１０６への被写界光の蓄積が終了する。次にモータに再度通電がなされ、ミラーダウン、シャッタチャージを行い一連のシャッタレリーズシーケンスの動作（撮影動作）が終了する。
【００４９】
また前記シャッタレリーズシーケンスの動作と平行して、前記ステップ＃２０４の測光動作１とステップ＃２０７の測光動作２で得られた撮影被写界を２０×３０に分割された各々の輝度情報の相関演算によって得られた撮影主要被写体の移動量、さらには撮影時の主要被写体の撮影画像における位置が演算される（被写体位置変化算出手段  ステップ＃２０９）。これらの演算処理についての詳細は後述する。
【００５０】
一方、ステップ＃２０８の撮影動作によってＣＣＤ１０６に露光された被写界像は光電変換され、画像処理部１０８にて約５００万画素（２５６０×１９２０）のデジタルデータに変換された後、ＲＡＭ１０３ａへ一時的に格納される。
【００５１】
次に格納されたデジタルデータは、ＪＰＥＧ圧縮処理された後、画像データとしてデータ格納手段１０４によってコンパクトフラッシュ（登録商標）等の記録媒体に記録される。また同時に前記２５６０×１９２０画素の全体画像デジタルデータは、表示部１１３に表示するために縦横各々１／８に間引き処理された３２０×２４０画素の全体画像データに変換され、表示用のＶＲＡＭ１０３ｃに再格納されるとともに、拡大再生表示時に必要となるステップ＃２０９で算出された撮影時の主要被写体の位置座標データ座標を中心として撮影画像から切り出した３２０×２４０画素の拡大画像データも対応して格納、記憶される（ステップ＃２１０）。
【００５２】
前記一連の撮影動作が終了すると、撮影された画像の間引き画像である上記３２０×２４０画素の全体画像データが表示部１１３に表示され、撮影者は撮影された画像の全体像を確認することができる（ステップ＃２１１）。
【００５３】
ステップ＃２１１で画像が表示されるとともに、カメラは撮影者が何らかの操作部材による入力待ちの状態となり、その間全体画像を表示し続ける。ここで、例えばＳＷ１ＯＮ、撮影モード変更等の入力がなされると、表示部１１３の表示を消灯し、入力に対応した状態に遷移する（ステップ＃２１２）。
【００５４】
ステップ＃２１２で操作部材の入力が無く、撮影者が不図示の拡大再生表示ボタンを押した入力信号をカメラが検知する（ステップ＃２１３）と、前記ステップ＃２１０で作成、記憶されている３２０×２４０画素の拡大画像データを表示部１１３に表示する（ステップ＃２１４）。
【００５５】
ステップ＃２１１で表示された全体画像が撮影画像の縦横各々１／８に間引き処理されたものであるのに対し、ステップ＃２１４で表示された拡大再生画像は、同一分解能表示で８倍の拡大率となっているため、撮影した主要被写体のピントの状態を容易に確認することが可能である。
【００５６】
次にカメラは再び撮影者が何らかの操作部材による入力待ちの状態となり、その間全体画像を表示し続ける。入力がなされると、表示部１１３の表示を消灯し、入力に対応した状態に遷移する（ステップ＃２１５）。
【００５７】
また本フローでは、再生画像表示を終了するのに、操作部材の入力で行っているが、タイマーで表示時間を規定するようにしても良い。
【００５８】
ここで実際に被写体を撮影する場合の例を図５から図１０を用いて説明する。
【００５９】
図５は、最終的に撮影したい構図である。しかしながら焦点検出領域がファインダの撮影画面の中央にあるため、主被写体に正確にピントを合わせるには、図６のように一度ピントを合わせたい主被写体を画面中央の指標１３０に一致するように構図を決め、不図示のレリーズボタンを半押しすることでＳＷ１をＯＮし、主被写体のピントの合焦が確認できたら、ＳＷ１をＯＮさせたまま（一般的にはＡＦロックと称する）、図５の最終構図にカメラの撮影画面を合わせ、レリーズボタンをそのまま押し込んでＳＷ２をＯＮさせることで撮影を行えば、主被写体にピントの合った意図通りの撮影画像を得ることが可能となる。
【００６０】
しかしながら、この撮影で撮影者が主被写体にちゃんとピントが合っているか否かの確認をするために、撮影後の全体画像再生中に、不図示の拡大再生表示ボタンを押した場合、従来の発明では焦点検出領域のある中央部分を拡大再生表示を行うために、図７に示すように主被写体でない被写界領域の拡大画像が表示部１１３に表示されてしまうだけで、主被写体のピント確認はできないか、あるいは拡大領域を主被写体位置まで移動させるという煩わしい操作が必要となる。
【００６１】
一方、本発明では図６の構図で、一度ピントを合わせたい主被写体を画面中央の指標１３０に一致させ、レリーズボタンの半押しにてＳＷ１をＯＮすることで焦点検出動作（ステップ＃２０３）、測光１（ステップ＃２０４）が実行される。測光１では前述の撮影被写界を２０×３０に分割された各々の輝度情報を取り込む。
【００６２】
図９ａに示すように、取り込まれた２０×３０の輝度情報値は、各々垂直方向、水平方向に加算処理がなされる。縦軸に垂直方向の加算値Σｘ０、Σｘ１、Σｘ２…Σｘ２９を輝度値：Σｘ（実際には加算した数での平均値）とし、横軸を各分割領域列のＮｏ．とすれば図９ｂの水平方向平均輝度分布図を得ることができる。
【００６３】
一方水平方向の加算値をΣｙ０、Σｙ１、Σｙ２…Σｙ１９、縦軸を得られた輝度値：Σｙとすると、同様に図９ｃの垂直方向平均輝度分布が得られる。
【００６４】
次に図１０ａに示すように、最終構図を決めてから撮影者がレリーズボタンを全押しすると、ＳＷ２がＯＮし、前述の撮影動作（ステップ＃２０８）が開始されるが、ＳＷ２ＯＮまで連続して行われていた測光動作の最終取り込み輝度情報値（測光２：ステップ＃２０７）を上記同様に各々垂直方向、水平方向に加算処理を行った結果が水平方向平均輝度分布を示す図１０ｂ、垂直方向平均輝度分布を示す図１０ｃの実線となる。
【００６５】
ここで図１０ｂ、図１０ｃ中には、図９ｂ、図９ｃの測光１における輝度平均輝度分布も破線として重ね合わせている。これを見ても分かるように測光１の結果（破線）と測光２（実線）の相関演算を行えば、輝度分布のＸ方向移動量δｘ、Ｙ方向移動量δｙを得ることができる。
【００６６】
従って、撮影後の全体画像再生中に、不図示の拡大再生表示ボタンを押した場合、拡大再生すべき領域は、ＣＣＤ１０６の撮影中心画素座標をｘｃ、ｙｃとすると、撮影時の主被写体の位置座標データ座標はｘｃ＋δｘ、ｙｃ＋δｙとなり、この座標位置を中心として撮影画像から切り出した３２０×２４０画素の拡大画像とすれば良いことになる。図８は以上のプロセスで得られた主被写体の拡大画像であり、全体画像表示に対し８倍の拡大率の表示が行われるため主被写体のピント確認が容易である。
【００６７】
また本実施例では、被写体位置変化算出手段に被写界輝度を検出する測光手段の出力を用いているが、本実施例のカメラを構成しているペンタプリズムを用いた光学式ファインダの代わりに、撮像素子（ＣＣＤ）に結像した被写界像を電気信号に変換し、液晶等の表示器にて撮影者が撮影被写界を観察可能な電子ビューファインダー（ＥＶＦ）を搭載した電子カメラの場合には、ＥＶＦ表示用の画像フレーム信号を処理することで被写体位置変化算出手段とすることができる。
【００６８】
つまりＡＦロック時に取り込んだＥＶＦ表示用の画像フレーム信号と、その後もＥＶＦに表示している画像フレーム信号の内、レリーズ信号（ＳＷ２ＯＮ）が入力された直前の画像フレーム信号（撮影画像信号でも可）との相関演算からピントを合わせたい主被写体の撮影時の位置を算出することが可能である。
【００６９】
さらには、カメラ本体に加速度センサを備えることで被写体位置の変化量を算出することが可能である。
【００７０】
ＡＦロック時から実際にレリーズ信号（ＳＷ２ＯＮ）が入力されるまでの間に、上記加速度センサの出力信号から水平方向と垂直方向の角速度を算出し、前記焦点検出手段から得られる主被写体までの距離情報、さらには撮影に使用した撮影レンズの焦点距離から、主被写体の撮影画像上での焦点検出位置からの変位量を求めることができる。
【００７１】
また本実施例では焦点検出領域が中央１箇所の設定となっているが、複数箇所の焦点検出領域を有するカメラにおいてもＡＦロック動作を必要とする撮影状況が多々あることは自明であり、とりわけ主被写体が動体である場合にはＡＦロックした構図と実際撮影を行った構図が異なる撮影状況は非常に多いため、本発明の有効性がそこなわれるものではない。
【００７２】
以上、電子カメラの撮影動作に伴う撮影画像の再生表示について説明を行ってきたが、一旦記録媒体に記録された画像を後から本電子カメラにて再生表示する場合においても、上記被写体位置変化算出手段によって求められた主被写体位置を撮影画像と一緒に記録することによって、ピント確認のための拡大表示を行う上記表示手法が適用されるのは言うまでもない。
【図面の簡単な説明】
【００７３】
【図１】本発明の表示装置を有する電子カメラの概略図
【図２】本発明の表示装置を有する電子カメラの概略ブロック図
【図３】本発明の表示装置を有する電子カメラのファインダ表示図
【図４】本発明の表示装置を有する電子カメラの撮影動作、撮影後画像再生動作フローチャート図
【図５】撮影画像全体表示説明図１
【図６】撮影画像全体表示説明図２
【図７】撮影画像拡大表示説明図１
【図８】撮影画像拡大表示説明図２
【図９】被写体位置変化算出手段説明図１
【図１０】被写体位置変化算出手段説明図２
【符号の説明】
【００７４】
１０１  ＣＰＵ
１０３  ＲＡＭ
１０５  撮影レンズ
１０６  ＣＣＤ
１１０  測光センサ
１１２  結像レンズ
１１３  外部表示部
１１９  焦点検出用ＣＣＤ
１２６  主ミラー
【図１】
2007028163.tif 000003
【図２】
2007028163.tif 000004
【図３】
2007028163.tif 000005
【図４】
2007028163.tif 000006
【図５】
2007028163.tif 000007
【図６】
2007028163.tif 000008
【図７】
2007028163.tif 000009
【図８】
2007028163.tif 000010
【図９】
2007028163.tif 000011
【図１０】
2007028163.tif 000012